(57)【要約】【課題】暗い環境下でも携帯画の情報端末装置により容易にＲＦＩＤタグの読み取り作業を行えるようにすること。【解決手段】情報端末装置１は、筐体の前側面に照明装置としての白色光源２ａと励起光源２ｂとを備え、前側面の内側にＲＦＩＤ処理用のループアンテナであるアンテナ４ａを備える。白色光源２ａおよび励起光源２ｂの照明光軸の方向は、アンテナ４ａの読み取り感度が高い方向であるアンテナ法泉Ｈ４ａとほぼ同じ方向に設定される。ＲＦＩＤタグ１１は表面に蛍光体１１ｃを備える。【選択図】        図２
2006079565.tif 000002
【特許請求の範囲】
【請求項１】
情報記録媒体に記録された情報を非接触に取得する非接触読取手段を有した情報端末装置において、
前記非接触読取手段の読取感度が高い方向とほぼ同じ方向を照明する照明手段を備えたことを特徴とする情報端末装置。
【請求項２】
前記照明手段は、白色光源であることを特徴とする請求項１に記載の情報端末装置。
【請求項３】
前記照明手段は、所定の蛍光体を励起する励起光源であることを特徴とする請求項１に記載の情報端末装置。
【請求項４】
前記照明手段は、所定の蛍光体を励起する励起光源を備えたことを特徴とする請求項２に記載の情報端末装置。
【請求項５】
前記励起光源は、前記白色光源より広角に照明することを特徴とする請求項４に記載の情報端末装置。
【請求項６】
前記照明手段は、発光ダイオードであることを特徴とする請求項１〜５のいずれか一つに記載の情報端末装置。
【請求項７】
表面に蛍光体を備えた情報記録媒体と、
前記情報記録媒体に記録された情報を非接触に取得する請求項３〜６のいずれか一つに記載の情報端末装置と、
を備えたことを特徴とする情報処理システム。
【発明の詳細な説明】
【技術分野】
【０００１】
本発明は、情報記録媒体に記録された情報を非接触に取得する非接触読取手段を有した情報端末装置および情報処理システムに関する。
【背景技術】
【０００２】
従来から、無線通信による情報処理システムの１つとして、ＲＦＩＤ（Radio Frequency Identification）システムがあり、入退室管理、物品管理等に利用されている。このＲＦＩＤシステムでは、識別情報等を記録するＲＦＩＤタグを管理対象に取り付け、情報端末装置がＲＦＩＤタグに対して所定周波数の電波を用いて読取処理、書込処理を行うことによって管理対象を管理する。
【０００３】
近年、ＲＦＩＤシステムの利便性を高めるため、ＲＦＩＤタグから情報を読み取る情報端末装置の小型化が求められ、携帯型の情報端末装置が提案されている（たとえば、特許文献１参照）。
【０００４】
【特許文献１】特開２００１−１０１３５３号公報
【発明の開示】
【発明が解決しようとする課題】
【０００５】
ところで、ＲＦＩＤタグの読取処理では、情報端末装置の所定の通信エリア内においてＲＦＩＤタグを捕捉する必要があるため、暗い環境下で携帯型の情報端末装置を用いて読取作業を行う場合、この情報端末装置の他に探照灯としての照明装置を携行しなければならないという不都合があった。たとえば、夜間に消灯した病室で点滴薬剤の容器等に取り付けられたＲＦＩＤタグ内の情報を読み取る場合、看護師はこの情報端末装置の他に懐中電灯等を携行する必要があった。また、その際、患者の睡眠を妨げないように目的のＲＦＩＤタグを探索し、ＲＦＩＤタグの照明と読取作業とを同時に行うため、作業負荷が大きく、作業時間がかかるという問題があった。
【０００６】
本発明は、上記に鑑みてなされたものであって、暗い環境下であっても情報の読取あるいは書込作業を容易に行うことができる情報端末装置および情報処理システムを提供することを目的とする。
【課題を解決するための手段】
【０００７】
上記の目的を達成するために、本発明の請求項１にかかる情報端末装置は、情報記録媒体に記録された情報を非接触に取得する非接触読取手段を有した情報端末装置において、前記非接触読取手段の読取感度が高い方向とほぼ同じ方向を照明する照明手段を備えたことを特徴とする。
【０００８】
また、本発明の請求項２にかかる情報端末装置は、上記請求項１記載の発明において、前記照明手段は、白色光源であることを特徴とする。
【０００９】
また、本発明の請求項３にかかる情報端末装置は、上記請求項１記載の発明において、前記照明手段は、所定の蛍光体を励起する励起光源であることを特徴とする。
【００１０】
また、本発明の請求項４にかかる情報端末装置は、上記請求項２記載の発明において、前記照明手段は、所定の蛍光体を励起する励起光源を備えたことを特徴とする。
【００１１】
また、本発明の請求項５にかかる情報端末装置は、上記請求項４記載の発明において、前記励起光源は、前記白色光源より広角に照明することを特徴とする。
【００１２】
また、本発明の請求項６にかかる情報端末装置は、上記請求項１〜５のいずれか一項記載の発明において、前記照明手段は、発光ダイオードであることを特徴とする。
【００１３】
また、本発明の請求項７にかかる情報処理システムは、表面に蛍光体を備えた情報記録媒体と、前記情報記録媒体に記録された情報を非接触に取得する請求項３〜６のいずれか一つに記載の情報端末装置と、を備えたことを特徴とする。
【発明の効果】
【００１４】
本発明によれば、暗い環境下でＲＦＩＤタグなどの情報の読取作業などを行う場合に、情報端末装置のみで照明および読取作業を可能とし、作業負荷を軽減し、作業時間を短縮する情報端末装置および情報処理システムを提供することができる。
【発明を実施するための最良の形態】
【００１５】
以下、添付図面を参照して、本発明にかかる情報端末装置および情報処理システムの好適な実施の形態を詳細に説明する。なお、この実施の形態によりこの発明が限定されるものではない。また、図面の記載において、同一部分には同一の符号を付している。
【００１６】
（実施の形態１）
まず、本発明の実施の形態１にかかる情報端末装置について説明する。この実施の形態１にかかる情報端末装置は、照明手段として白色光を発光する白色光源と、蛍光体を励起させる励起光を発光する励起光源とを備え、一方もしくは両方の光源による照明を利用して目的のＲＦＩＤタグを探索し、ＲＦＩＤタグの読取作業を行えるようにしている。
【００１７】
図１は、本発明の実施の形態１にかかる情報端末装置の構成を示すブロック図である。図１に示すように、この実施の形態１にかかる情報端末装置１は、ＲＦＩＤタグ１１を照明するための照明部２と、各種指示情報が入力される入力部３と、ＲＦＩＤタグ１１の情報を読み書きする処理を行うＲＦＩＤ処理部４と、各種情報を表示する表示部５と、外部装置との間で情報通信を行う外部通信部６と、音声の入出力処理を行う音声入出力部７と、ストレージデバイス８と、各種情報を記憶する記憶部９と、各構成部位を制御する制御部１０とを備える。照明部２は、白色光源２ａと、励起光源２ｂとを備える。入力部３は、白色光源スイッチ３ａと、励起光源スイッチ３ｂと、ＲＦＩＤ処理スイッチ３ｃと、入力キー３ｄとを備える。ＲＦＩＤ処理部４は、アンテナ４ａを備える。照明部２、入力部３、ＲＦＩＤ処理部４、表示部５、外部通信部６、音声入出力部７、ストレージデバイス８および記憶部９は、制御部１０に電気的に接続され、その接続の形態は有線に限らず無線も含む。制御部１０は、照明部２、入力部３、ＲＦＩＤ処理部４、表示部５、外部通信部６、音声入出力部７、ストレージデバイス８および記憶部９を制御する。なお、ＲＦＩＤタグとは、応答を要求する所定周波数の要求電波に応じて、蓄積した識別情報等の各種情報に対応する応答電波を送信する情報記録媒体である。ＲＦＩＤタグが蓄積する各種情報は、所定周波数の電波を介して読み出しが可能であるとともに書き込み、書き換えが可能である。
【００１８】
照明部２の白色光源２ａおよび励起光源２ｂは、入力部３に入力された指示情報を参照した制御部１０によって点灯制御される。白色光源２ａは、たとえば白色光を放射する白色発光ダイオード（ＬＥＤ）であり、励起光源２ｂは、たとえば紫外線を放射する紫外光ＬＥＤである。なお、白色光源２ａは、所定の波長域の可視光を発光する可視光ＬＥＤや小型の白熱電球等でもよく、励起光源２ｂは、可視の励起光を発光する可視光ＬＥＤ等でもよい。また、各光源は、所定の波長域のＬＥＤとフィルタとの組合せで実現してもよい。
【００１９】
入力部３は、情報端末装置１が行う各種処理および動作の指示情報の入力を外部から受け付けるとともに、受け付けた指示情報の内容を制御部１０に出力する。入力部３は、白色光源２ａおよび励起光源２ｂの点灯を指示する指示情報を受け付ける白色光源スイッチ３ａおよび励起光源スイッチ３ｂを備えるとともに、ＲＦＩＤ書込処理またはＲＦＩＤ読取処理の開始を指示する指示情報を受け付けるＲＦＩＤ処理スイッチ３ｃおよびその他各種の指示情報を受け付ける入力キー３ｄを備える。
【００２０】
ＲＦＩＤ処理部４は、所定周波数の電波を送信してＲＦＩＤタグに電力供給を行うとともに、所定周波数の電波を介してＲＦＩＤタグの情報を読み書きする処理を行う。ＲＦＩＤ読取処理を行う場合、ＲＦＩＤ処理部４は、ＲＦＩＤタグに応答を要求する指示に対応した電気信号を必要に応じて増幅、変調し、この電気信号に対応する要求電波をアンテナ４ａから送信する。その後、ＲＦＩＤ処理部４は、アンテナ４ａを介してＲＦＩＤタグからの応答電波を受信し、応答電波に対応する電気信号を必要に応じて復調し、ＲＦＩＤタグに記録された情報を取得する。さらに、ＲＦＩＤ処理部４は、取得した情報を制御部１０に出力し、ＲＦＩＤ読取処理を完了する。一方、ＲＦＩＤ書込処理を行う場合、ＲＦＩＤ処理部４は、ＲＦＩＤタグに書込みを要求する指示に対応した電気信号を必要に応じて増幅、変調し、この電気信号に対応する電波をアンテナ４ａから送信し、ＲＦＩＤタグに対して情報の書き込みを行う。なお、アンテナ４ａは、ＲＦＩＤ処理部４の制御のもと、通信可能な範囲である通信エリア内に存在するＲＦＩＤタグとの間で所定周波数の電波を送受信する。
【００２１】
表示部５は、たとえば、液晶ディスプレイ、有機ＥＬ（Electroluminescence）ディスプレイ、ＬＥＤ等の表示装置を備え、制御部１０の制御のもと、各種情報を表示する。表示部５が表示する情報には、ＲＦＩＤ読取処理によって読み取られた情報や、ＲＦＩＤ書込処理によってＲＦＩＤタグに書き込む情報のほか、情報端末装置１が行う各種処理の開始や完了の報知等がある。また、表示部５は、情報端末装置１の各種処理および動作において発生したエラーを報知するエラー表示を出力してもよい。
【００２２】
外部通信部６は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、制御部１０の制御のもと、外部のホストコンピュータ（図示せず）等に対して情報通信を行う。
【００２３】
音声入出力部７は、マイクロフォンおよびスピーカーを用いて実現される。音声入出力部７は、制御部１０の制御のもと、外部からの音声情報を入力するとともに、入力した音声情報を制御部１０に出力する。また、音声入出力部７は、制御部１０から入力された音声情報を外部に出力する。なお、音声入出力部７は、各構成部位による処理の開始や完了を報知する所定の報知音を出力し、また、情報端末装置１の各種処理および動作において発生したエラーを報知する所定のエラー音を出力してもよい。
【００２４】
ストレージデバイス８は、制御部１０の制御のもと、外部から挿入されたスマートメディア（Ｒ）、メモリスティック（Ｒ）、マルチメディアカード（Ｒ）、またはＳＤメモリカード（Ｒ）等の記憶媒体を駆動させ、記憶媒体に記憶された情報を読み取る。さらに、ストレージデバイス８は、制御部１０から入力された情報を記憶媒体に記録するように機能してもよい。なお、記憶媒体は、ストレージデバイス８に対して着脱可能である。
【００２５】
記憶部９は、所定のＯＳを起動するプログラムや処理プログラム等の各種情報が予め記憶されたＲＯＭと、各処理の演算パラメータや各構成部位に入出力される各種情報等を記憶するＲＡＭとを用いて実現される。
【００２６】
制御部１０は、記憶部９が記憶した処理プログラムを実行するＣＰＵを備え、照明部２、入力部３、ＲＦＩＤ処理部４、表示部５、外部通信部６、音声入出力部７、ストレージデバイス８および記憶部９の各種処理および動作を制御する。たとえば、制御部１０は、各構成部位に入出力される情報について所定の入出力制御を行い、その情報に対して所定の情報処理を行う。また、制御部１０は、ＲＦＩＤタグから取得した情報を、外部通信部６を介して外部のホストコンピュータに送出する。その後、制御部１０は、ホストコンピュータにより処理された情報を受信してもよい。
【００２７】
つぎに、本発明の実施の形態１にかかる情報処理システムについて説明する。図２は、本発明の実施の形態１にかかる情報処理システムであるＲＦＩＤシステムの概略構成を示す斜視図である。図２に示すように、この実施の形態１におけるＲＦＩＤシステムは、情報端末装置１と管理対象（図示せず）に取り付けられたＲＦＩＤタグ１１とから構成される。
【００２８】
図２に示す情報端末装置１は、筐体の前側面に照明装置としての白色光源２ａと励起光源２ｂとを備え、前側面の内側にＲＦＩＤ処理用のループアンテナであるアンテナ４ａを備える。白色光源２ａおよび励起光源２ｂは、それぞれ情報端末装置１の筐体の右側面に設けられた白色光源スイッチ３ａおよび励起光源スイッチ３ｂによって点灯が指示される。すなわち、白色光源スイッチ３ａもしくは励起光源スイッチ３ｂが押し下げられた場合に、制御部１０は、点灯の指示を受け付け、押し下げられたスイッチに対応する光源を点灯させる。一方、筐体の右側面に設けられたＲＦＩＤ処理スイッチ３ｃが押し下げられた場合、制御部１０は開始の指示を受け付け、ＲＦＩＤ処理部４に開始を指示する。また、筐体の正面に設けられた複数の入力キー３ｄは、たとえば、ＲＦＩＤ読取処理あるいはＲＦＩＤ書込処理の選択情報、ＲＦＩＤ書込処理でＲＦＩＤタグに書き込む情報、情報端末装置１を操作するオペレータのＩＤ等を外部から受け付ける。同じく筐体の正面に設けられた表示装置５ａは、ＲＦＩＤ読取処理でＲＦＩＤタグから取得した情報や、ＲＦＩＤ書込処理でＲＦＩＤタグに送出する情報等を表示し、オペレータに報知する。また、筐体の右側面に設けられた外部通信インターフェース６ａは、外部のホストコンピュータ（図示せず）等と情報通信を行い、ＲＦＩＤタグから取得した情報等を送信し、あるいはＲＦＩＤタグに書き込む情報等を受信する。
【００２９】
一方、ＲＦＩＤタグ１１は、図２に示すように、内部にＩＣチップ１１ａとアンテナ１１ｂとを備える。ＩＣチップ１１ａは、管理対象の識別情報等を蓄積したＲＯＭ、情報端末装置１から受信する情報等を記憶するＲＡＭ、情報端末装置１からの要求電波に応じてＲＦＩＤタグを制御し応答電波の送出を指示するＣＰＵ等を備える。さらに、ＲＦＩＤタグ１１は、図３に示すように、蛍光塗料や蛍光シール等である蛍光体１１ｃを表面に備える。蛍光体１１ｃは、所定の波長域の励起光、たとえば紫外線が照射されることにより励起し、蛍光あるいはりん光として可視光を発光する物質である。
【００３０】
図２に示すＲＦＩＤシステムにおいて、情報端末装置１は、アンテナ４ａを介して、アンテナ４ａの通信エリア内に存在するＲＦＩＤタグ１１との間で所定周波数の電波を送受信し、ＲＦＩＤタグ１１に記録された情報を読み取り、あるいはＲＦＩＤタグ１１に情報を書き込む。さらに、情報端末装置１は、必要に応じて外部のホストコンピュータ（図示せず）と通信し、情報を処理する。具体的には、たとえば図４に示すように、病室で看護師Ｈ１が患者Ｈ２に点滴を実施する場合、看護師Ｈ１は、点滴薬剤Ｄの容器に取り付けられたＲＦＩＤタグ１１と、患者Ｈ２にリストバンド等で取り付けられたＲＦＩＤタグ（図示せず）とを情報端末装置１で読み取り、投薬する薬剤Ｄと患者Ｈ２との間に取り違え等が起きていないかを確認する。その後、点滴開始の時刻や、落滴スピード等の点滴条件等を記録して点滴を開始し、点滴終了時点には、終了時刻、薬剤の使用量、患者の容体等を記録する。これら種々の情報の記録は、情報端末装置１から随時ホストコンピュータに送出するが、一時的に情報端末装置１やＲＦＩＤタグ１１、あるいは外部記憶媒体に蓄積し、その後ホストコンピュータに送出してもよい。なお、情報端末装置１は、看護師Ｈ１があらかじめ自分のＩＤやパスワードを入力し、個人認証を受けた後に操作可能な状態とすることが好ましい。
【００３１】
つぎに、照明部２の動作について説明する。図５は、図２に示したＲＦＩＤシステムの平面図であり、白色光源スイッチ３ａを押し下げて白色光源２ａを点灯した状態を示している。夜間に消灯した部屋などの暗い環境下で、情報端末装置１を用いてＲＦＩＤタグ１１の読み取り作業を行う場合、オペレータは、目的のＲＦＩＤタグ１１を探索するため、図５に示すように白色光源２ａを点灯し、ＲＦＩＤタグ１１を照明して位置を確認することができる。さらに、図５に示すように、白色光源２ａが、所定の立体角をなす円錐状の白色照明エリアＲ２ａを有し、その中心線である白色照明光軸Ｈ２ａの方向が、アンテナ４ａの読み取り感度の高い方向であるアンテナ法線Ｈ４ａとほぼ同じであるため、オペレータは、ＲＦＩＤタグ１１を白色照明エリアＲ２ａ内に捕捉したままアンテナ４ａの通信エリアＲ４ａ内に捕捉し、容易にＲＦＩＤタグ１１の読み取り作業を行うことができる。換言すれば、オペレータは、白色光でＲＦＩＤタグ１１を照明したままアンテナ４ａが通信可能な距離まで情報端末装置１を近づけ、その時点でＲＦＩＤ処理スイッチ３ｃを押し下げＲＦＩＤ読取処理を開始することにより、スムーズにＲＦＩＤタグの読み取り作業を行うことができる。
【００３２】
一方、図６は、励起光源スイッチ３ｂを押し下げて励起光源２ｂを点灯した状態を示すＲＦＩＤシステムの平面図である。暗い環境下で情報端末装置１を用いてＲＦＩＤタグ１１の読み取り作業を行う場合、オペレータは、図６に示すように励起光源２ｂを点灯しＲＦＩＤタグ１１を照明すると、ＲＦＩＤタグ１１の表面に設けられた蛍光体１１ｃの発光により、容易にＲＦＩＤタグ１１を発見し、その位置を確認することができる。さらに、図６に示すように、励起光源２ｂが白色照明エリアＲ２ａと同等の立体角をなす円錐状の励起照明エリアＲ２ｂを有し、その中心線である励起照明光軸Ｈ２ｂの方向がアンテナ法線Ｈ４ａとほぼ同じであるため、白色光で照明する場合と同様に、オペレータは、ＲＦＩＤタグ１１を励起照明エリアＲ２ｂ内に捕捉しながら通信エリアＲ４ａ内に捕捉し、容易にＲＦＩＤタグ１１の読み取り作業を行うことができる。なお、この場合、蛍光体１１ｃは、励起終了後の残光時間が比較的短い蛍光を発光する蛍光体であることが好ましい。
【００３３】
ところで、励起光は、一般には紫外線であり不可視光であるため、励起光による照明下では、上述したＲＦＩＤタグ１１の探索および読み取り作業以外の作業では、かえって作業性を低下させる恐れがあり、また、オペレータの移動に危険をともなう恐れがある。このため、白色光による照明と励起光による照明とを併用して作業を行うことが好ましい。たとえば、暗い環境下で情報端末装置１によりＲＦＩＤタグ１１の読み取り作業を行う場合、オペレータは、白色光源２ａによる照明でＲＦＩＤタグ１１の付近まで移動し、励起光源２ｂによる照明に切り換え、蛍光体１１ｃの発光を利用してＲＦＩＤタグ１１を発見し、ＲＦＩＤタグ１１の読み取り作業を行い、ふたたび白色光源２ａによる照明に切り換え移動するようにすればよい。このように白色光および励起光による照明を利用することで、オペレータは、作業性を損なうことなく、また、移動において危険をともなうことなく、容易にＲＦＩＤタグ１１の読み取り作業を行うことができる。さらに、たとえば図４に示したと同様に、夜間に消灯した病室で患者を見回る場合に、看護師は、照明をサーチしても患者の睡眠等を妨げることなくＲＦＩＤタグ１１を探索することができる。
【００３４】
（実施の形態２）
つぎに、本発明の実施の形態２について説明する。上述した実施の形態１では、励起光源２ｂが白色光源２ａと同等の立体角で所定エリアを照明するようにしていたが、この実施の形態２では、励起光源が白色光源よりも広角に照明するようにしている。
【００３５】
図７は、本発明の実施の形態２にかかる情報端末装置および情報処理システムを示す平面図である。図７に示す情報端末装置２１は、実施の形態１に示した情報端末装置１の励起光源２ｂに代えて励起光源２ｃを備えている。その他の構成は実施の形態１と同じであり、同一構成部分には同一符号を付している。
【００３６】
励起光源２ｃは、図７に示すように、白色照明エリアＲ２ａが張る立体角よりも広角な立体角を有する円錐状の励起照明エリアＲ２ｃを照明し、その中心線である励起照明光軸Ｈ２ｃの方向は、アンテナ４ａの読み取り感度の高い方向であるアンテナ法線Ｈ４ａとほぼ同じである。
【００３７】
実施の形態１における励起光源２ｂによる照明では、ＲＦＩＤタグ１１が励起照明エリアＲ２ｂから外れた位置にある場合、照明をサーチしてＲＦＩＤタグを探索し発見する必要があった。この実施の形態２における励起光源２ｃによる照明では、図７に示すように、白色照明エリアＲ２ａが張る立体角よりも広角かつ広範な励起照明エリアＲ２ｃを照明し、ＲＦＩＤタグ１１が励起照明光軸Ｈ２ｃから大きく離れた位置にあっても蛍光体１１ｃを照明することが可能であり、励起光源２ｃによる照明をサーチすることなく容易にＲＦＩＤタグ１１を発見することができる。オペレータは、励起光による照明でＲＦＩＤタグ１１を発見後、白色光源２ａによる照明に切り換えＲＦＩＤタグ１１の読み取り作業を行えばよい。なお、この場合、蛍光体１１ｃは、励起終了後の残光時間が比較的長いりん光を発光する蛍光体であることが好ましい。
【００３８】
以上説明した実施の形態１，２にかかる本発明の情報端末装置１，２１およびこの情報端末装置を備えた情報処理システムは、白色光による照明および／またはＲＦＩＤタグに設けた蛍光体の励起光による照明を用い、さらに照明光の光軸をアンテナの読み取り感度が高い方向とほぼ一致させることにより、暗い環境下でＲＦＩＤタグの読み取り作業を行う場合であっても、容易にＲＦＩＤタグを探索し発見して読み取り作業を行うことができ、結果として、オペレータの作業負荷を軽減し、作業時間を短縮することができる。
【００３９】
なお、ここまで本発明の好ましい実施の形態を説明してきたが、本発明はこの実施の形態により限定されるものではない。たとえば、実施の形態１および２における情報端末装置１および２１では、白色光源２ａと、励起光源２ｂもしくは２ｃとの波長域の異なる光源を一体に備えていたが、白色光源あるいは励起光源のどちらか一方の光源だけを備えるようにしてもよい。ただし、励起光源だけを備える場合、実用的には、この情報端末装置とは別に白色光もしくは所定の波長域の可視光による照明装置を併用することが好ましい。なお、白色光源だけを備える場合、および上述した実施の形態で白色光源２ａのみを点灯してＲＦＩＤタグの読み取り作業を行う場合には、ＲＦＩＤタグには必ずしも蛍光体を設ける必要はない。
【００４０】
また、白色光源と励起光源とを備える場合であっても、たとえば、発光素子として紫外線を発光するＬＥＤと、紫外線により蛍光を発光する蛍光フィルタとを備え、蛍光フィルタの着脱により照明する光の波長域を切り換える構成としてもよい。この場合、蛍光フィルタを取り付けて白色光もしくは可視光を照明し、蛍光フィルタを取り外して紫外光を照明することになる。
【００４１】
また、白色光源と励起光源とを点灯する際に、上述の実施の形態では、ボタン式のスイッチによりオペレータから指示を受け付けるようにしていたが、たとえば、スライド式のスイッチによりオペレータからの指示を受け付け、両光源を同時に点灯させることなく、必然的に両光源の点灯が切り換わるようにして作業効率を向上させるとともに、省電力化をはかってもよい。また、ボタン式のスイッチであっても、一方の光源が点灯中に他方の光源が消灯されるように連動させてもよい。あるいは、入力キー３ｄで点灯のモード、すなわち、白色光源を点灯させるか励起光源を点灯させるかを選択するようにしてもよい。なお、バックアップとして、両光源を同時に点灯する設定を設けてもよい。
【００４２】
なお、上述した実施の形態では、ＲＦＩＤタグの読み取り作業について本発明の効果を説明したが、ＲＦＩＤタグへの書き込み作業においても本発明は同様の効果を奏する。すなわち、ＲＦＩＤタグへの書き込み作業において、白色光による照明、もしくは励起光による照明を用い、容易にＲＦＩＤタグを探索し発見して書き込み作業を行うことができる。
【００４３】
また、上述した実施の形態では、情報記録媒体と、その非接触な読取装置として、ＲＦＩＤタグとＲＦＩＤ読取装置とに言及したが、これに限定されず、たとえば、２次元コードと、その非接触な読取装置とにおいて本発明を適用してもよい。また、ＲＦＩＤタグと２次元コードとの両方に対応する装置において本発明を適用してもよい。
【図面の簡単な説明】
【００４４】
【図１】本発明の実施の形態１にかかる情報端末装置の構成を示すブロック図である。
【図２】本発明の実施の形態１にかかる情報処理システムの概略構成を示す斜視図である。
【図３】図２に示すＲＦＩＤタグの表面を示す斜視図である。
【図４】本発明の実施の形態１にかかる情報処理システムを医療現場に適用した場合の状況を説明する図である。
【図５】図２に示すＲＦＩＤシステムにおいて情報端末装置が白色光源を点灯した場合を示す平面図である。
【図６】図２に示すＲＦＩＤシステムにおいて情報端末装置が励起光源を点灯した場合を示す平面図である。
【図７】本発明の実施の形態２にかかる情報処理システムの概略構成を示す平面図である。
【符号の説明】
【００４５】
１，２１    情報端末装置
２    照明部
２ａ    白色光源
２ｂ，２ｃ    励起光源
３    入力部
３ａ    白色光源スイッチ
３ｂ    励起光源スイッチ
３ｃ    ＲＦＩＤ処理スイッチ
３ｄ    入力キー
４    ＲＦＩＤ処理部
４ａ    アンテナ
５    表示部
６    外部通信部
７    音声入出力部
８    ストレージデバイス
９    記憶部
１０    制御部
１１    ＲＦＩＤタグ
１１ａ    ＩＣチップ
１１ｂ    アンテナ
１１ｃ    蛍光体
【図１】
2006079565.tif 000003
【図２】
2006079565.tif 000004
【図３】
2006079565.tif 000005
【図４】
2006079565.tif 000006
【図５】
2006079565.tif 000007
【図６】
2006079565.tif 000008
【図７】
2006079565.tif 000009